(57)【特許請求の範囲】
【請求項１】
上面１ａに第１流通口２、側面１ｂに第２流通口３を有した装置本体１と、
この装置本体１に設けた薬剤保持体４、送風ファン５、この送風ファン５を回転するモータ６と、このモータ６を交互に正回転駆動、逆回転駆動するモータ制御装置７を備え、
前記送風ファン５を正回転することで第１流通口２から第２流通口３に向けて空気を流通し、かつ薬剤保持体４に空気が触れて薬剤を揮散し、逆回転することで第２流通口３から第１流通口２に向けて空気が流通し、かつ薬剤保持体４に空気が触れて薬剤を揮散するようにし、
前記モータ６の正回転駆動時間を設定する第１設定器８と、前記モータ６の逆回転駆動時間を設定する第２設定器９を設け、その設定した時間ごとに正回転駆動と逆回転駆動を交互に行うようにしたことを特徴とする送風式薬剤放散装置。
【請求項２】
装置本体１は、第１流通口２と第２流通口３を連通する空気流通路１０を有し、
この空気流通路１０の上部に送風ファン５を第１流通口２と対向して設け、この送風ファン５よりも下方に下ガイド面１０ａを設け、この下ガイド面１０ａに沿って第２流通口３に向けて空気がスムーズに流通するようにした請求項１記載の送風式薬剤放散装置。
【発明の詳細な説明】
【技術分野】
【０００１】
本発明は、室内等に薬剤を放散する送風式薬剤放散装置に関する。
【背景技術】
【０００２】
従来、送風ファンによって薬剤保持体に空気を触れさせて薬剤を揮散し、その薬剤を空気とともに放散する送風式薬剤放散装置が種々提案されている。
例えば、特許文献１に開示されたように、装置本体（ハウジングケース）に送風ファンと薬剤保持体（薬剤）を設け、その送風ファンを回転することで装置本体の上面の吸気口から空気を吸い込み、その空気を薬剤保持体に触れて薬剤を揮散し、その薬剤を装置本体の側面の排気口から空気とともに放散する第１の送風式薬剤放散装置が提案されている。
【０００３】
特許文献２に開示されたように、装置本体（ハウジング）内に送風ファンと薬剤保持体（除虫剤含浸部）を設け、その送風ファンを回転することで装置本体の側面の吸気口から空気を吸い込み、その空気を薬剤保持体に触れて薬剤を揮散し、その薬剤を装置本体の上面の排気口から空気とともに放散する第２の送風式薬剤放散装置が提案されている。
【０００４】
【特許文献１】実開平６−７５１７９号公報
【特許文献２】特開平８−１５４５５４号公報
【発明の開示】
【発明が解決しようとする課題】
【０００５】
前述した従来の第１の送風式薬剤放散装置によれば、装置本体の側方に薬剤を放散するので、室内に置いて使用する際に、その載置面に沿ってのみ薬剤が放散されるから、上方には薬剤が放散されない。
したがって、薬剤を室内全域に均一に放散できない。
【０００６】
前述した従来の第２の送風式薬剤放散装置によれば、装置本体の上方に薬剤を放散するので、室内に置いて使用する際に、上方に向けてのみ薬剤が放散されるから、その載置面に沿った方向には薬剤が放散されない。
したがって、薬剤を室内全域に均一に放散できない。
【０００７】
本発明の目的は、装置本体の上方と側方とに向けて薬剤を交互に放散し、室内に置いて使用することで、薬剤を室内全域に均一に放散できるようにした送風式薬剤放散装置とすることである。
【課題を解決するための手段】
【０００８】
第１の発明は、上面１ａに第１流通口２、側面１ｂに第２流通口３を有した装置本体１と、
この装置本体１に設けた薬剤保持体４、送風ファン５、この送風ファン５を回転するモータ６と、このモータ６を交互に正回転駆動、逆回転駆動するモータ制御装置７を備え、
前記送風ファン５を正回転することで第１流通口２から第２流通口３に向けて空気を流通し、かつ薬剤保持体４に空気が触れて薬剤を揮散し、逆回転することで第２流通口３から第１流通口２に向けて空気が流通し、かつ薬剤保持体４に空気が触れて薬剤を揮散するようにし、
前記モータ６の正回転駆動時間を設定する第１設定器８と、前記モータ６の逆回転駆動時間を設定する第２設定器９を設け、その設定した時間ごとに正回転駆動と逆回転駆動を交互に行うようにしたことを特徴とする送風式薬剤放散装置である。
【００１０】
第２の発明は、第１の発明において、装置本体１は、第１流通口２と第２流通口３を連通する空気流通路１０を有し、
この空気流通路１０の上部に送風ファン５を第１流通口２と対向して設け、この送風ファン５よりも下方に下ガイド面１０ａを設け、この下ガイド面１０ａに沿って第２流通口３に向けて空気がスムーズに流通するようにした送風式薬剤放散装置である。
【発明の効果】
【００１１】
請求項１に係る発明によれば、装置本体１の上方と側方とに向けて薬剤を交互に放散するので、室内に置いて使用することで、薬剤を全域に均一に放散できる。
また、モータ６の正回転駆動時間と逆回転駆動時間をそれぞれ任意に設定できるので、装置本体１の上方に向けて薬剤を飛散する時間と、側方に向けて薬剤を飛散する時間を設定でき、使用する室内の大きさや室内での装置の置き場所などに応じた上方、側方に飛散する薬剤量とすることができる。
【００１３】
請求項２に係る発明によれば、送風ファン５の回転によって第１流通口２から第２流通口３に向けてスムーズに空気が流通するし、第２流通口３から第１流通口２に向けてスムーズに空気が流通する。
【発明を実施するための最良の形態】
【００１４】
図１と図２に基づいて本発明の実施の形態を説明する。
装置本体１は、その上面１ａに第１流通口２を有すると共に、側面１ｂに第２流通口３を有する。
前記装置本体１には、薬剤保持体４と送風ファン５とモータ６が設けてあり、そのモータ６によって送風ファン５を回転する。
前記装置本体１にはモータ６を交互に正回転駆動、逆回転駆動するモータ制御装置７が設けてある。
【００１５】
モータ６を正回転駆動して送風ファン５を正回転すると、実線の矢印で示すように、第１流通口２から空気を吸い込み、その空気が薬剤保持体４に触れて薬剤を揮散し、その薬剤を空気とともに第２流通口３から装置本体１の側方へ向けて放散する。
前記モータ６を逆回転駆動して送風ファン５を逆回転すると点線の矢印で示すように、第２流通口３から空気を吸い込み、その空気が薬剤保持体４に触れて薬剤を揮散し、その薬剤を空気とともに第１流通口２から装置本体１の上方に向けて放散する。
【００１６】
このようであるから、図３に示すように装置本体１を室内Ａの床Ｂなどに置き、送風ファン５を正回転、逆回転することで、薬剤を装置本体１の側方に向けて放散したり、装置本体１の上面１ａから上方へ向けて放散するようにする。
これにより、室内Ａの上方及び床Ｂに沿った側方に薬剤を交互に放散して室内全域に薬剤を均一に放散できる。
【００１７】
また、図４に示すように装置本体１を室内Ａの壁Ｃに取り付けることで、その壁Ｃに沿った上下方向と、水平方向に向かう方向に薬剤を交互に放散するようにしても良い。
このようにしても、室内全域に薬剤を均一に放散できる。
また、図示していないが、装置本体１を室内の天井に取付けることで、その天井に沿った水平方向と、下方に向かう垂直方向に薬剤を交互に放散するようにしても良い。
【００１８】
本発明の送風式薬剤放散装置は前述のようであるので、次のような使用の仕方ができる。
すなわち、台所と食堂を１つの室内に設けたダイニング・キッチンと呼ばれる室内の場合、その台所の空間と食堂の空間が一部区切られた状態で室内に設けることがある。
このような場合、従来の送風式薬剤放散装置を台所側、又は食堂側のいずれかに設置して使用しても、前述の区切り部分が障害となり、薬剤を台所空間、食堂空間の両方（室内全域）に均一に放散できない。
【００１９】
これに対して本発明の送風式薬剤放散装置であれば、例えば、台所空間の壁に装置本体を台所空間と食堂空間を連通している部分（前述の区切り部分以外の部分）と対向して設置することで、台所空間と食堂空間の両方に薬剤を均一に放散することができる。
なお、装置本体１を床に、その側面を接して立てるように設置しても良い。
また、装置本体１を台所空間、食堂空間の何れかの空間の天井に取付けて使用するようにしても良い。
【００２０】
この実施の形態においては、モータ６の正回転駆動時間と逆回転駆動時間をそれぞれ任意に設定できるようにしてある。
例えば、図１に示すように装置本体１に正回転駆動時間を設定する第１設定器８と、逆回転駆動時間を設定する第２設定器９が設けてある。
前記第１・第２設定器８，９は、手で回転することで駆動時間を前述のモータ駆動制御装置７にそれぞれ入力する。
そして、モータ駆動制御装置７は、入力された駆動時間だけモータ６に正回転通電、逆回転通電する。
【００２１】
このようであるから、第１流通口２から薬剤を放散する時間と第２流通口３から薬剤を放散する時間を任意に設定できるので、使用する室内の大きさや室内での装置の置き場所などに応じた上方、側方に放散する薬剤量とすることができる。
例えば、広く、天井が低い室内であれば、モータ６の正回転駆動時間を長く、逆回転駆動時間を短くして、第２流通口３から側方に放散する薬剤量を多く、第１流通口２から上方に放散する薬剤量を少なくする。
また、狭く、天井が高い室内であれば、モータ６の正回転駆動時間を短く、逆回転駆動時間を長くして、第１流通口２から上方に放散する薬剤量を多く、第２流通口３から側方に放散する薬剤量を少なくする。
【００２２】
次に、各部材を詳細に説明する。
前記装置本体１内には、第１流通口２と第２流通口３を連通する空気流通路１０が形成してある。
この空気流通路１０は、平面ほぼ円形状で、かつほぼ傘形状となった下ガイド面１０ａを有し、この下ガイド面１０ａの中央部分に送風ファン５の回転中心が位置している。
このようであるから、送風ファン５を回転することで空気流通口１０に空気がスムーズに流通する。
【００２３】
前記第１流通口２と第２流通口３は、上下方向及び側方に位置がそれぞれずれ、第１又は第２流通口２，３から放散される薬剤を第２又は第１流通口３，２から吸い込むことがないようにしてある。
【００２４】
前記装置本体１は、上面板１１と周面板１２と底面板１３で中空形状となった本体部１ｃと、その本体部１ｃの下部に着脱自在に取り付けたプレート１ｄを有している。
前記上面板１１のほぼ全面が開口して第１流通口２としてある。
前記周面板１２は小径の上部筒１２ａと大径の下部筒１２ｂで段付き筒形状で、その下部筒１２ｂに複数の第２流通口３が周方向に間隔を置いて形成してある。
これによって、第１流通口２と第２流通口３が上下方向、周方向（側方）に位置がずれている。
前記底面板１３はほぼ傘形状で、前述の下ガイド面１０ａを形成している。
【００２５】
前記底面板１３とプレート１ｄとの間に空間１ｅを有し、この空間１ｅにモータ６、モータ制御装置７、電池１４が設けてある。
前記モータ６の出力軸６ａは底面板１３を貫通して本体部１ｃ内に突出し、その突出端部に送風ファン５が取り付けてある。
前記送風ファン５は正回転時と逆回転時とで送風方向が反対となるファンである。例えば、プロペラファンとしてある。
【００２６】
前記薬剤保持体４は、通気性を有する容器１５内に薬剤を含浸した粒状の薬剤含浸体１６を収容したもので、その容器１５内を空気が流通して薬剤含浸体１６に空気が触れて薬剤を揮散し、その揮散した薬剤が空気とともに容器１５外に流出する。
【００２７】
前記薬剤保持体４は前述のものに限ることはない。
例えば、ハニカム体に薬剤を含浸させても良いし、不織布、織物などに含浸させても良く、さらには１つのブロック形状としても良い。
要するに、薬剤保持体４は、殺虫、殺ダニ、成長制御、吸血行動阻止、忌避などの虫害抑止を機能とする薬剤、香りを付与する芳香剤、悪いにおいを消す消臭剤、また、除菌や防かび作用のある防菌・防黴剤など、室内を衛生的な快適空間にする薬剤を主成分とする有効成分を保持するものである。
【００２８】
前記薬剤保持体４は装置本体１の第２流通口３側に設けても良い。
例えば、図５と図６に示すように薬剤保持体４をリング形状とし、本体部１ｃの底面における外周寄りにリング状の開口部１７を形成し、この開口部１７から薬剤保持体４を取り付ける。
【００２９】
前記送風ファン５を複数の第２流通口３と対向してそれぞれ設けても良い。
例えば、図７と図８に示すように、装置本体１の本体部１ｃの周面板１２における各第２流通口３の周縁に沿って筒状部１８をそれぞれ設けて第２流通口３を筒形状とする。
前記各筒状部１８内に送風ファン５をそれぞれ設け、この送風ファン５の軸５ａとモータ６の出力軸６ａを伝動装置２０で連結し、１つのモータ６で複数の送風ファン５を回転できるようにする。
【００３０】
前記伝動装置２０は、図９に示すようにモータ６の出力軸６ａに固定した大傘車２１に、各送風ファン５の軸５ａに固定した傘歯車２２をそれぞれ噛合したものとしてある。
【００３１】
このようにすれば、各第２流通口３毎に送風ファン５で空気を吸い込み、吐出するので、流通する空気量が多くなると共に、流速が速くなるから、大量の薬剤を遠くまで放散できる。
【図面の簡単な説明】
【００３２】
【図１】本発明の第１の実施の形態を示す平面図である。
【図２】図１のＡ−Ａ断面図である。
【図３】使用状態の説明図である。
【図４】使用状態の説明図である。
【図５】本発明の第２の実施の形態を示す底面図である。
【図６】図５のＢ−Ｂ断面図である。
【図７】本発明の第３の実施の形態を示す平面図である。
【図８】図７のＣ−Ｃ断面図である。
【図９】伝動装置の平面説明図である。
【符号の説明】
【００３３】
１…装置本体、１ａ…上面、１ｂ…側面、２…第１流通口、３…第２流通口、４…薬剤保持体、５…送風ファン、６…モータ、７…モータ制御装置、８…第１設定器、９…第２設定器、１０…空気流通路、１０ａ…下ガイド面。
【図１】
0005121061.tif 000002
【図２】
0005121061.tif 000003
【図３】
0005121061.tif 000004
【図４】
0005121061.tif 000005
【図５】
0005121061.tif 000006
【図６】
0005121061.tif 000007
【図７】
0005121061.tif 000008
【図８】
0005121061.tif 000009
【図９】
0005121061.tif 000010